(57)【要約】【課題】エアバッグユニットのモジュールケースをシートバックのフレームに対して高い構造強度を発揮させられる状態に取り付けられるようにする。【解決手段】シートバック２の車両外側の側部にエアバッグユニット１０が取り付けられた乗物用シート１である。エアバッグユニット１０は、そのエアバッグモジュール１１を内包するモジュールケース１２の一部がシートバック２のサイドフレーム２Ｆに外側からボルト締結されて一体的に結合されていると共に、この締結部から離れたモジュールケース１２の別の箇所が更にサイドフレーム２Ｆに一体的に結合された形状出しワイヤ２Ｆｆ（別のフレーム部）にシート内周側から引掛けられて当接した状態として設けられている。【選択図】図２
2015042518.tif 000002
【特許請求の範囲】
【請求項１】
シートバックの外周部にエアバッグユニットが取り付けられた乗物用シートであって、
前記エアバッグユニットは、そのエアバッグモジュールを内包するモジュールケースの一部が前記シートバックのフレームにシート外周側からボルト締結されて一体的に結合されていると共に、該締結部から離れた前記モジュールケースの別の一部が更に前記シートバックのフレームと一体を成す別のフレーム部にシート内周側から引掛けられて当接した状態として設けられていることを特徴とする乗物用シート。
【請求項２】
請求項１に記載の乗物用シートであって、
前記別のフレーム部が、前記シートバックのフレームに結合された別部材によって構成されていることを特徴とする乗物用シート。
【請求項３】
請求項１又は請求項２に記載の乗物用シートであって、
前記エアバッグユニットは、前記シートバックの側部に設けられてエアバッグをシート前方側に膨張展開させる構成となっており、
前記モジュールケースは、シート前後方向に長尺な横断面形状となっており、その後側領域部が前記シートバックのサイドフレームにボルト締結されて固定され、前側領域部に形成されたフック片が前記サイドフレームに一体的に結合されてシート前方側に突出して設けられた支持フレームにシート幅方向の内側から引掛けられて当接した状態として設けられていることを特徴とする乗物用シート。
【発明の詳細な説明】
【技術分野】
【０００１】
本発明は、乗物用シートに関する。詳しくは、シートバックの外周部にエアバッグユニットが取り付けられた乗物用シートに関する。
【背景技術】
【０００２】
従来、車両用シートにおいて、シートバックの車両外側の側部にエアバッグユニットが備え付けられたものが知られている（特許文献１）。上記エアバッグユニットは、そのエアバッグモジュールを内装するモジュールケースが、ボルトとナットとから成る締結構造によってシートバックの車両外側のサイドフレームの外側部に取り付けられている。
【先行技術文献】
【特許文献】
【０００３】
【特許文献１】特開２０００−２８０８５２号公報
【発明の概要】
【発明が解決しようとする課題】
【０００４】
しかし、上記従来技術では、モジュールケースが前後方向に長尺な断面形状となっているにも拘らず、その後側領域のみが上述した締結構造によってシートバックのサイドフレームに締結されており、前側領域の支持強度が十分でない。本発明は、上記問題を解決するものとして創案されたものであって、本発明が解決しようとする課題は、エアバッグユニットのモジュールケースをシートバックのフレームに対して高い構造強度を発揮させられる状態に取り付けられるようにすることにある。
【課題を解決するための手段】
【０００５】
上記課題を解決するために、本発明の乗物用シートは次の手段をとる。
第１の発明は、シートバックの外周部にエアバッグユニットが取り付けられた乗物用シートである。エアバッグユニットは、そのエアバッグモジュールを内包するモジュールケースの一部がシートバックのフレームにシート外周側からボルト締結されて一体的に結合されていると共に、この締結部から離れたモジュールケースの別の一部が更にシートバックのフレームと一体を成す別のフレーム部にシート内周側から引掛けられて当接した状態として設けられている。
【０００６】
ここで、シートバックのフレームについて、「シート外周側」「シート内周側」とは、それぞれ、シートバックの形状の外を向く側、或いは内を向く側を指しており、シートバックの前後方向或いは幅方向における形状の外を向く側、或いは内を向く側を指している。
【０００７】
この第１の発明によれば、モジュールケースは、そのシートバックのフレームにボルト締結された箇所から離れた別の箇所が更に別のフレーム部にシート内周側から引掛けられて当接した状態とされることにより、上記締結部から離れた別の箇所においてもシートバックのフレームに対してシート外周側に撓みにくい状態に取り付けられた状態となる。このように、モジュールケースを、シートバックのフレームに対して高い構造強度を発揮させられる状態に取り付けることができる。
【０００８】
第２の発明は、上述した第１の発明において、次の構成とされているものである。別のフレーム部が、シートバックのフレームに結合された別部材によって構成されている。
【０００９】
この第２の発明によれば、モジュールケースの上記締結部から離れた別の箇所を、シートバックのフレームに対して、より自由に高い構造強度を発揮させられる最適な位置に引掛けることができる。
【００１０】
第３の発明は、上述した第１又は第２の発明において、次の構成とされているものである。エアバッグユニットは、シートバックの側部に設けられてエアバッグをシート前方側に膨張展開させる構成となっている。モジュールケースは、シート前後方向に長尺な横断面形状となっており、その後側領域部がシートバックのサイドフレームにボルト締結されて固定され、前側領域部に形成されたフック片がサイドフレームに一体的に結合されてシート前方側に突出して設けられた支持フレームにシート幅方向の内側から引掛けられて当接した状態として設けられている。
【００１１】
この第３の発明によれば、モジュールケースのボルト締結された後側の領域部から前方側に離間した前側領域部のシート幅方向の外側への撓みを適切に抑えることができる。
【図面の簡単な説明】
【００１２】
【図１】実施例１の乗物用シートの概略構成を示す斜視図である。
【図２】図１のII-II線断面図である。
【発明を実施するための形態】
【００１３】
以下に、本発明を実施するための形態について、図面を用いて説明する。
【実施例１】
【００１４】
始めに、実施例１のシート１（乗物用シート）の構成について、図１〜図２を用いて説明する。図１に示すように、本実施例のシート１は、自動車の助手席として構成されており、着座乗員の背凭れとなるシートバック２と、着座部となるシートクッション３と、シートバック２の上部に形成された頭凭れとなるヘッドレスト部４と、を備えた構成となっている。上述したシートバック２の図示向かって右側となる車両外側の側部には、車両の側面衝突発生時に乗員を衝突から保護するエアバッグユニット１０が付設されている。このエアバッグユニット１０は、車両の側面衝突発生時に、その内部に設けられたエアバッグモジュール１１が車両のＥＣＵからの電気信号を受けてインフレータにて火薬を点火させ、エアバッグを着座乗員の側方部に向けて膨らませるように展開させる、公知のサイドエアバッグの構成となっている。
【００１５】
上述したエアバッグユニット１０は、シートバック２の車両外側の側部の骨格を成すサイドフレーム２Ｆの外側の面部２Ｆａに取り付けられて設けられている（図２参照）。具体的には、エアバッグユニット１０は、そのエアバッグモジュール１１を内包する樹脂製のモジュールケース１２が、上述したサイドフレーム２Ｆの外側の面部２Ｆａに外側から取り付けられて設けられている。上述したモジュールケース１２は、縦長な箱型形状に形成されており、図２に示すように前後方向に長尺な横断面形状をもつ形に形成されている。
【００１６】
上述したモジュールケース１２のサイドフレーム２Ｆへの取り付けは、モジュールケース１２の内側の壁部１２Ｂの後側領域部に一体的に取り付けられた高さ方向に並ぶ２個のスタッドボルト１２Ｆをそれぞれサイドフレーム２Ｆの外側の面部２Ｆａに通した後、その通された各スタッドボルト１２Ｆの先にそれぞれナット１２Ｇをサイドフレーム２Ｆの内側から締結することによって行われている。
【００１７】
詳しくは、上述したモジュールケース１２は、上記の締結に際して、その内側の壁部１２Ｂの前側の縁部に形成された２個のフック片１２Ｄを、それぞれ、サイドフレーム２Ｆの前部に一体的に結合された形状出しワイヤ２Ｆｆの掛部２Ｆｆ１にシート幅方向の内側から引掛けて当接させた状態として上記の締結がされた構成とされている。これにより、モジュールケース１２は、その横断面形状が前後方向に長尺な箱型形状とされて、後側の領域部のみが上述した締結構造によってサイドフレーム２Ｆに締結された構成となっていても、この締結部から前方側に離間した前側の領域部もサイドフレーム２Ｆに対してシート幅方向の外側に撓みにくいように支持された状態として設けられた状態とされている。ここで、「形状出しワイヤ」が本発明の「別のフレーム部」及び「支持フレーム」に相当する。
【００１８】
以下、上述したモジュールケース１２のサイドフレーム２Ｆへの取り付け構造について、シートバック２の基本構造と合わせて詳しく説明していく。先ず、シートバック２の構成について説明する。シートバック２は、図２に示すように、その内部の骨格を成す図示しない金属製のバックフレーム（一部のサイドフレーム２Ｆのみ図示）と、バックフレームの前部に覆い被せられるように組み付けられて着座乗員の荷重を和らげて受け止める発泡ウレタン製のバックパッド２Ｐと、バックパッド２Ｐの表面全体を覆うように前方側から被せ付けられた布製のバックカバー２Ｃと、シートバック２の背面を覆うように後側から取り付けられた樹脂製のバックボード２Ｂと、によって構成されている。
【００１９】
上述したバックフレーム（一部のサイドフレーム２Ｆのみ図示）は、シートバック２の外周形状に沿った骨格を成す正面視逆Ｕ字状に組まれた構成となっており、その図示されたシートバック２の車両外側の側部の骨格を成すサイドフレーム２Ｆ（外周部）に対し、上述したエアバッグユニット１０が取り付けられている。上述したサイドフレーム２Ｆは、一枚の縦長状の鋼板材によって形成されており、その前側の縁部と後側の縁部とがそれぞれシート内側に２段階に折り曲げられることで、それらのエッジがシート形状の外側に向かって立たないようにシート形状の内側に向かって折り込まれた形に形成されている。
【００２０】
具体的には、サイドフレーム２Ｆは、シート外側に面を向ける外側の面部２Ｆａと、この外側の面部２Ｆａの前側の縁からシート内側に折り曲げられた前側の面部２Ｆｂと、外側の面部２Ｆａの後側の縁からシート内側に折り曲げられた後側の面部２Ｆｃと、を有する形に形成されている。上記前側の面部２Ｆｂは、外側の面部２Ｆａの前側の縁からシート内側にシート前側を向く斜めの角度まで折り曲げられた後、更にその途中箇所がシート後側を向く斜めの角度まで折り曲げられた、２段階に山折りされた形に形成されている。これにより、前側の面部２Ｆｂは、その２段目の折り曲げられた先のシート内側前方を向く斜めの面部によって、後述するバックパッド２Ｐの着座乗員の身体を外側から斜め支持する面部（サイドサポート部２Ｐｓ）を斜め後方側から真っ直ぐに面で支持することができる形に形成されている。そして、前側の面部２Ｆｂは、その折り曲げられた先の縁部が、シート内側後方に向けられた状態として、シート形状の外側に向かってエッジを立たせないようにシート形状の内側に向かって折り込まれた形に形成されている。
【００２１】
一方、後側の面部２Ｆｃは、上述した外側の面部２Ｆａの後側の縁からシート内側に略直角に折り曲げられた後、更にその折り曲げられた先の末端箇所がシート前側を向く斜めの角度まで折り曲げられた、２段階に谷折りされた形に形成されている。上述した後側の面部２Ｆｃは、その１段目の折り曲げられた箇所から２段目の折り曲げられた箇所までの幅長が、上述した前側の面部２Ｆｂの幅長よりも長い形状となっており、この部分においてシート後方側から受ける外力を広く受け止めて支持することができるようになっている。また、後側の面部２Ｆｃは、その折り曲げられた先の縁部（後側の縁部）が、シート内側前方に向けられた状態として、シート形状の外側に向かってエッジを立たせないようにシート形状の内側に向かって折り込まれた形に形成されている。
【００２２】
ここで、上述した「シート形状」の内側・外側とは、シート形状の幅方向の内側・外側を意味している他、シート形状の前後方向の内側・外側も意味している。すなわち、上述した車両外側のサイドフレーム２Ｆを例に説明すると、同サイドフレーム２Ｆにおけるシート形状の内側とは、図２で見て、サイドフレーム２Ｆの幅方向の最も外側に位置している外側の面部２Ｆａから図示右側の領域（反対側のサイドフレーム（図示省略）との間に挟まれた領域）が、シート形状の幅方向の内側となり、サイドフレーム２Ｆの前後方向の最も外側に位置している前側の面部２Ｆｂと後側の面部２Ｆｃとの間に挟まれた領域が、シート形状の前後方向の内側となる。それ以外の領域が、上記サイドフレーム２Ｆにおけるシート形状の外側となる。
【００２３】
バックパッド２Ｐは、軟質ポリウレタンフォーム原料を発泡成形して形成したものであり、上述した図示しないバックフレーム（一部のサイドフレーム２Ｆのみ図示）の前部にセットされた後、その表面全体を覆うように布製のバックカバー２Ｃが前方側から被せ付けられて張設されることにより、このバックカバー２Ｃの張設力によってバックフレームの前部に位置決めされた状態にセットされた状態とされている。
【００２４】
上記バックパッド２Ｐは、そのバックフレームの左右のサイドフレーム（車両外側のサイドフレーム２Ｆのみ図示）の前部に掛けられる部位が、着座乗員の背部を両外側から支持できるように前方側に山状に大きく膨らんだサイドサポート部２Ｐｓとして形成されている。これらサイドサポート部２Ｐｓは、バックフレームの左右のサイドフレーム（車両外側のサイドフレーム２Ｆのみ図示）の前部に結合された前方側に張り出す形の形状出しワイヤ２Ｆｆ（図１参照）によって各サイドフレーム（車両外側のサイドフレーム２Ｆのみ図示）よりも前方側に張り出した位置で後方側から支えられた状態とされている。これら形状出しワイヤ２Ｆｆによる支持により、各サイドサポート部２Ｐｓは、着座乗員の背部を両外側から強く支えることができるようになっている。上述した各形状出しワイヤ２Ｆｆのうち、エアバッグユニット１０が配設された車両外側の形状出しワイヤ２Ｆｆは、その前方側に張り出す形状部分の高さ方向の２箇所の部位が、前述したエアバッグユニット１０のモジュールケース１２に形成された各フック片１２Ｄを引掛けるための掛部２Ｆｆ１として、後方側に凹む形に折り曲げられた構成とされている。
【００２５】
上述したバックパッド２Ｐの各サイドサポート部２Ｐｓは、各サイドフレーム（車両外側のサイドフレーム２Ｆのみ図示）の両外側の面部２Ｆａも外側から覆った状態となるようにシート後方側に曲げ返された形に形成されている。しかし、エアバッグユニット１０が装着される側となる車両外側のサイドサポート部２Ｐｓは、そのサイドフレーム２Ｆを外側から覆う領域の一部が、エアバッグユニット１０の装着領域を空けるように部分的に幅方向（厚さ方向）に貫通する形に刳り貫かれた形状とされている（貫通孔２Ｐａ）。
【００２６】
バックカバー２Ｃは、図２に示すように、上述したバックパッド２Ｐの表面全体を覆い被せるようにバックパッド２Ｐに前方側から被せ付けられた後、その周縁部が後方側に引き込まれてバックフレーム（車両外側のサイドフレーム２Ｆのみ図示）に止着されることにより、バックパッド２Ｐの表面全体に広く密着するように左右両側と上下両側とからそれぞれ引張り込まれた状態に張設された状態とされている。詳しくは、バックカバー２Ｃの左右両側の縁部は、各縁部に取り付けられた止着用のフック２Ｃａを各サイドフレームの後側の縁部（車両外側のサイドフレーム２Ｆの後側の縁部のみ図示）に引掛けることにより、各サイドフレームに止着された状態とされている。
【００２７】
また、上述したバックカバー２Ｃのエアバッグユニット１０が装着される側となる車両外側の側面部に被せられる部位には、バックカバー２Ｃがエアバッグユニット１０の装着領域にかからないように、上述したバックパッド２Ｐに形成された貫通孔２Ｐａと同様に、エアバッグユニット１０の装着領域を空けるように部分的に幅方向に貫通する形に切り抜かれた切抜き部２Ｃｂが形成されている。
【００２８】
バックボード２Ｂは、図２に示すように、後述するエアバッグユニット１０が車両外側のサイドフレーム２Ｆに取り付けられた後に、図示しないバックフレーム（一部のサイドフレーム２Ｆのみ図示）の所々の箇所にクリップを用いて後側から差し込まれて装着された状態とされている。上述したバックボード２Ｂは、その左右両側の縁部２Ｂａがシート前方側に湾曲した形に形成されており、各サイドフレーム（車両外側のサイドフレーム２Ｆのみ図示）を両外側から覆うバックパッド２Ｐの各サイドサポート部２Ｐｓの後側の周縁部２Ｂａ（を覆うバックカバー２Ｃ）に後側から押し付けられた状態に設けられた状態とされている。これにより、バックボード２Ｂは、その左右両側の縁部２Ｂａとバックパッド２Ｐ（を覆うバックカバー２Ｃ）との間に隙間が生じないように見栄え良く設けられた状態とされている。
【００２９】
次に、エアバッグユニット１０のモジュールケース１２の構成について説明する。図１に示すように、モジュールケース１２は、内部にエアバッグモジュール１１を収容する縦長な箱型形状に形成されており、図２に示すように、その内部のエアバッグモジュール１１が膨張展開する際に破断して開く外側の壁部１２Ａとは反対側の内側の壁部１２Ｂの後側領域部に、シート内側に向かって突出するスタッドボルト１２Ｆが高さ方向の２箇所の位置に一体的に結合されて設けられた構成となっている。上述したモジュールケース１２は、上述した各スタッドボルト１２Ｆをサイドフレーム２Ｆに差し込んでそれぞれナット１２Ｇにより締結することにより、その内側の壁部１２Ｂがサイドフレーム２Ｆの外側の面部２Ｆａに広く面当接した状態に固定されて設けられた状態とされている。
【００３０】
そして、上記モジュールケース１２は、上記のようにサイドフレーム２Ｆに組み付けられた状態となることにより、その箱型形状の前外側の縁部に形成された前方側に張り出す形の突起片１２Ｅが、バックパッド２Ｐの車両外側のサイドサポート部２Ｐｓに覆い被されたバックカバー２Ｃに外側からあてがわれた状態となる。これにより、バックカバー２Ｃの切抜き部２Ｃｂの縁が上記突起片１２Ｅによって外部に露呈しないように外側から見栄え良く被覆された状態とされるようになっている。上記取り付けられたモジュールケース１２は、図２の仮想線状態で示すように、エアバッグモジュール１１からエアバッグが膨張展開されると、その展開圧によって外側の壁部１２Ａがその後側の壁部１２Ｃとの繋ぎ部を支点に前側の壁部との繋ぎ目の破断部１２Ａ１を破断させて外側に押し開かれるようになっている。
【００３１】
また、上述したモジュールケース１２の内側の壁部１２Ｂには、その前側の縁部の高さ方向の２箇所の位置に、断面Ｌ字状に内前側に折れ曲がった形となって延びるフック片１２Ｄが一体的に形成された状態とされている。これらフック片１２Ｄは、前述したように、モジュールケース１２を車両外側のサイドフレーム２Ｆにスタッドボルト１２Ｆによって締結する際に、先に形状出しワイヤ２Ｆｆの掛部２Ｆｆ１に後側から通されて掛部２Ｆｆ１のシート幅方向の内側に引掛けられて当接した状態となるように組み付けられる部分となっている。これらフック片１２Ｄの形状出しワイヤ２Ｆｆへの組み付けにより、モジュールケース１２は、その後側領域部が上述したスタッドボルト１２Ｆの締結によってサイドフレーム２Ｆに対して強固に一体的に結合されて支持された状態とされると共に、前側領域部も上記フック片１２Ｄの引掛け構造によってサイドフレーム２Ｆ（形状出しワイヤ２Ｆｆ）に対してシート幅方向の外側に撓みにくくなるように強く支持された状態とされている。これにより、モジュールケース１２は、その横断面形状が前後方向に長尺な形となって形成されていても、その前側領域部や後側領域部がサイドフレーム２Ｆに対してシート幅方向の外側に撓むことがないように強く結合された状態に設けられた状態とされている。これにより、モジュールケース１２に外部から力がかけられたり車両の振動が伝達されたりしても、モジュールケース１２が撓んでその周りを覆うバックカバー２Ｃとの間に隙間が形成されたりすることなく、見栄えの良い状態を維持することができるようになっている。
【００３２】
このように、エアバッグユニット１０は、そのエアバッグモジュール１１を内包するモジュールケース１２の一部がシートバック２のサイドフレーム２Ｆ（フレーム）に外側（シート外周側）からボルト締結されて一体的に結合されていると共に、この締結部から離れたモジュールケース１２の別の箇所（フック片１２Ｄ）が更にシートバック２のサイドフレーム２Ｆと一体を成す別のフレーム部（形状出しワイヤ２Ｆｆ）に内側（シート内周側）から引掛けられて当接した状態として設けられた構成となっている。このような構成となっていることにより、モジュールケース１２が、上記締結部から離れた別の箇所においても、シートバック２のサイドフレーム２Ｆに対して外側に撓みにくい状態に取り付けられた状態となるため、モジュールケース１２をシートバック２のサイドフレーム２Ｆに対して高い構造強度を発揮させられる状態に取り付けた状態とすることができる。
【００３３】
また、上記「別のフレーム部」が、シートバック２のサイドフレーム２Ｆに結合された別部材（形状出しワイヤ２Ｆｆ）によって構成されている。このような構成となっていることにより、モジュールケース１２の上記締結部から離れた別の箇所を、シートバック２のサイドフレーム２Ｆに対して、より自由に高い構造強度を発揮させられる最適な位置に引掛けることができる。
【００３４】
また、エアバッグユニット１０は、シートバック２の側部に設けられてエアバッグをシート前方側に膨張展開させる構成となっている。モジュールケース１２は、シート前後方向に長尺な横断面形状となっており、その後側領域部がシートバック２のサイドフレーム２Ｆにボルト締結されて固定され、前側領域部に形成されたフック片１２Ｄがサイドフレーム２Ｆに一体的に結合されてシート前方側に突出して設けられた形状出しワイヤ２Ｆｆ（支持フレーム）にシート幅方向の内側から引掛けられて当接した状態として設けられている。このような構成となっていることにより、モジュールケース１２のボルト締結された後側の領域部から前方側に離間した前側領域部のシート幅方向の外側への撓みを適切に抑えることができる。
【００３５】
以上、本発明の実施形態を１つの実施例を用いて説明したが、本発明は上記実施例のほか各種の形態で実施することができるものである。例えば、本発明の「乗物用シート」は、自動車の助手席を構成するシートの他にも、鉄道車両等の自動車以外の車両に適用されるシートであってもよく、また、航空機、船舶等の様々な乗物用に供されるシートにも広く適用することができるものである。
【００３６】
また、エアバッグユニットは、シートバックの外周部において、上記実施例で示したようにシートバックの外形に収まる形に設置されるものの他、シートバックの外形の外側に張り出すように設けられるものであってもよい。また、エアバッグユニットは、シートバックの外周部に設けられていればよく、シートバックの車両内側の側部に設けられてエアバッグを着座乗員の側方部に向けて膨らませるように展開させるものや、シートバックの背面部の上部側寄りの箇所や下部側寄りの箇所等に設けられてエアバッグを後部側座席に座る乗員に向けて膨らませるように展開させるものであってもよい。なお、エアバッグユニットが取り付けられるシートバックのフレームは、その取付位置によってどのフレームに取り付けられるものであってもよい。
【００３７】
また、モジュールケースのボルト締結部と別のフレーム部に引掛けられる部位との位置関係は、特に限定されるものでない。例えば、上記実施例で示した構成を例に説明すると、モジュールケースの前側領域部がシートバックのサイドフレームにボルト締結され、後側領域部がシートバックのフレームと一体を成す別のフレーム部に引掛けられるものであってもよい。また、上記の位置関係は、モジュールケースの形やモジュールケースのシートバックへの取り付け位置、取り付けられるフレームの形状等によって適宜定められるものであり、別のフレーム部への引掛けによってモジュールケースのボルト締結部から離れた別の箇所の支持剛性を上げられるようになっていればよい。
【００３８】
また、モジュールケースのボルト締結部から離れた別の箇所が引掛けられる「別のフレーム部」は、シートバックのフレームと一体を成すものであればよく、モジュールケースが取り付けられるフレームから延長されたり切り起こされたりして形成されたものや、乗員の背凭れ荷重を広く面で受け止められるようにするためにサイドフレームの前面部に一体的に結合された状態で設けられる支持板等、モジュールケースが取り付けられるフレームに何らかの目的のために一体的に結合されたものであってもよい。また、モジュールケースは、金属製であってもよい。
【符号の説明】
【００３９】
１      シート（乗物用シート）
２      シートバック
２Ｆ    サイドフレーム
２Ｆａ  外側の面部
２Ｆｂ  前側の面部
２Ｆｃ  後側の面部
２Ｆｆ  形状出しワイヤ（別のフレーム部、支持フレーム）
２Ｆｆ１  掛部
２Ｐ    バックパッド
２Ｐｓ  サイドサポート部
２Ｐａ  貫通孔
２Ｃ    バックカバー
２Ｃａ  止着用のフック
２Ｃｂ  切抜き部
２Ｂ    バックボード
２Ｂａ  縁部
３      シートクッション
４      ヘッドレスト部
１０    エアバッグユニット
１１    エアバッグモジュール
１２    モジュールケース
１２Ａ  外側の壁部
１２Ａ１  破断部
１２Ｂ  内側の壁部
１２Ｃ  後側の壁部
１２Ｄ  フック片
１２Ｅ  突起片
１２Ｆ  スタッドボルト
１２Ｇ  ナット
【図１】
2015042518.tif 000003
【図２】
2015042518.tif 000004